(57)【要約】【課題】非筆記時のインキ漏出を確実に防止できるとともに、落下等の衝撃でボールが外部に脱落することを回避できるボールペンを提供する。【解決手段】ボールペンチップ２が、小径筒部４１と、テーパ筒部４２と、大径筒部４３とを備える。テーパ筒部４２の内面に弁座４２ａが形成される。押圧部材５が筆記時のボール３の後面に当接される小径部５１と、大径部５２とを備える。大径部５２の前端部に環状の弁部５３が形成される。非筆記状態において、弁座４２ａと弁部５３とが環状に密接される。筆記状態において、ボール３の後方移動に伴い押圧部材５が後退され、弁座４２ａと弁部５３との密接が解除される。【選択図】  図２
2017114089.tif 000002
【特許請求の範囲】
【請求項１】
金属製の筒体の前端に内向きの前端縁部が形成され、前記前端縁部の後方の筒体の前端近傍内面にボール受け座用の複数の内方突出部が形成され、前記筒体の前端縁部の前記前端縁部と前記内方突出部との間でボールが回転可能に抱持されたボールペンチップと、
前記ボールペンチップ内に配置され且つボールの後面に当接可能な押圧部材と、前記押圧部材を前方に付勢する弾発部材と、を備えたボールペンであって、
前記ボールペンチップが、前端にボールが抱持された直円筒状の小径筒部と、該小径筒部より後方に一体に連設され且つ後方に向かうに従い拡径するテーパ筒部と、該テーパ筒部より後方に一体に連設される直円筒状の大径筒部と、を備え、前記テーパ筒部の内面に弁座が形成され、
前記押圧部材が、前記内方突出部の相互間のインキ流通間隙に挿通され且つ筆記時のボールの後面に当接される小径部と、該小径部より後方に連設され且つ該小径部より大きい外径を有する大径部と、を備え、前記大径部の前端部に環状の弁部が形成され、
非筆記状態において、前記テーパ筒部の弁座と前記押圧部材の弁部とが環状に密接され、
筆記状態において、前記ボールの後方移動に伴い前記押圧部材が後退され、前記テーパ筒部の弁座と前記押圧部材の弁部との密接が解除されることを特徴とするボールペン。
【請求項２】
前記筒体の前端縁部と前記内方突出部との間で抱持されるボールの前後方向の移動可能量が、前記ボールの後方移動による前記押圧部材の前後方向の移動可能量よりも大きく設定される請求項１記載のボールペン。
【発明の詳細な説明】
【技術分野】
【０００１】
本発明は、ボールペンに関する。
【背景技術】
【０００２】
従来この種の筆記具において、例えば、特許文献１には、ボール受け座用の内方突出部の相互間に、ボールを前方に押圧する押圧部材の先端部を挿通させたボールペン先端部が開示されている。
【先行技術文献】
【特許文献】
【０００３】
【特許文献１】特開２００６−１０２９５６号公報
【発明の概要】
【発明が解決しようとする課題】
【０００４】
前記特許文献１のボールペンは、ボールペンチップの前端縁部にボールを密接させることにより非筆記時のインキ漏出を防止するものである。そのため、前端縁部の不用意な変形や損傷等により、ボールと前端縁部とのシール性が阻害されるおそれある。また、落下等の強い衝撃が加わった場合、内部に収容されたインキの圧力よりボールが外部に脱落するおそれがある。
【０００５】
本発明は、前記従来の不具合を解決するものであって、非筆記時のインキ漏出を確実に防止できるとともに、落下等の衝撃でボールが外部に脱落することを回避できるボールペンを提供しようとするものである。
尚、本発明において、「前」とはボールペンチップ側を指し、「後」とはその反対側を指す。
【課題を解決するための手段】
【０００６】
本願の第１の発明は、金属製の筒体４の前端に内向きの前端縁部４１ａが形成され、前記前端縁部４１ａの後方の筒体４の前端近傍内面にボール受け座用の複数の内方突出部４１ｂが形成され、前記筒体４の前端縁部４１ａの前記前端縁部４１ａと前記内方突出部４１ｂとの間でボール３が回転可能に抱持されたボールペンチップ２と、前記ボールペンチップ２内に配置され且つボール３の後面に当接可能な押圧部材５と、前記押圧部材５を前方に付勢する弾発部材６と、を備えたボールペンであって、前記ボールペンチップ２が、前端にボール３が抱持された直円筒状の小径筒部４１と、該小径筒部４１より後方に一体に連設され且つ後方に向かうに従い拡径するテーパ筒部４２と、該テーパ筒部４２より後方に一体に連設される直円筒状の大径筒部４３と、を備え、前記テーパ筒部４２の内面に弁座４２ａが形成され、前記押圧部材５が、前記内方突出部４１ｂの相互間のインキ流通間隙に挿通され且つ筆記時のボール３の後面に当接される小径部５１と、該小径部５１より後方に連設され且つ該小径部５１より大きい外径を有する大径部５２と、を備え、前記大径部５２の前端部に環状の弁部５３が形成され、非筆記状態において、前記テーパ筒部４２の弁座４２ａと前記押圧部材５の弁部５３とが環状に密接され、筆記状態において、前記ボール３の後方移動に伴い前記押圧部材５が後退され、前記テーパ筒部４２の弁座４２ａと前記押圧部材５の弁部５３との密接が解除されることを特徴とする。
【０００７】
前記第１の発明のボールペン１は、非筆記状態において、前記テーパ筒部４２の弁座４２ａと前記押圧部材５の弁部５３とが環状に密接され、筆記状態において、前記ボール３の後方移動に伴い前記押圧部材５が後退され、前記テーパ筒部４２の弁部５３と前記押圧部材５の弁部５３との密接が解除されることにより、非筆記時のインキ漏出を確実に防止できるとともに、落下等の衝撃でボール３が外部に脱落することを回避できる。
【０００８】
本願の第２の発明は、前記第１の発明のボールペンにおいて、前記筒体４の前端縁部４１ａと前記内方突出部４１ｂとの間で抱持されるボール３の前後方向の移動可能量が、前記ボール３の後方移動による前記押圧部材５の前後方向の移動可能量よりも大きく設定されることを特徴とする。
【０００９】
前記第２の発明のボールペン１は、前記筒体４の前端縁部４１ａと前記内方突出部４１ｂとの間で抱持されるボール３の前後方向の移動可能量が、前記ボール３の後方移動による前記押圧部材５の前後方向の移動可能量よりも大きく設定されることにより、前記テーパ筒部４２の弁座４２ａと前記押圧部材５の弁部５３とが環状に密接された状態（非筆記状態）において、前記前端縁部４１ａと前記内方突出部４１ｂとの間で、ボール３が前後方向のあそびを有する状態で収容される。それにより、筆記時、弁部５３と弁座４２ａとの密接が解除され、ボール３へのインキ供給が可能となり、且つ、ボール３と前端縁部４１ａ内面とが非圧接状態となり、落下等の衝撃でボール３が外部に脱落することを一層に回避できる。
【発明の効果】
【００１０】
本発明のボールペンによれば、非筆記時のインキ漏出を確実に防止できるとともに、落下等の衝撃でボールが外部に脱落することを回避できる。
【図面の簡単な説明】
【００１１】
【図１】本発明の実施の形態の要部縦断面図である。
【図２】図１の非筆記状態を示す要部拡大縦断面図である。
【図３】図２の要部拡大縦断面図である。
【図４】図１の筆記状態を示す要部拡大縦断面図である。
【図５】図４の要部拡大縦断面図である。
【発明を実施するための形態】
【００１２】
図１乃至図５に本発明の実施の形態を示す。
【００１３】
・ボールペン
本実施の形態のボールペン１は、前端部にボール３を回転可能に抱持したボールペンチップ２と、該ボールペンチップ２の後部がその前部に圧入固着されたホルダー７と、該ホルダー７の後部がその前端開口部に圧入固着されたインキ収容筒８と、前記ボールペンチップ２の内部に収容配置された押圧部材５及び弾発部材６とを備える。
【００１４】
・ボールペンチップ
前記ボールペンチップ２は、金属製の筒体４とボール３とからなる。前記筒体４が、前端にボール３を回転可能に抱持する直円筒状の小径筒部４１と、該小径筒部４１より後方に連設され且つ後方に向かうに従い拡径するテーパ筒部４２と、該テーパ筒部４２より後方に連設される直円筒状の大径筒部４３とからなる。前記筒体４は、例えば、ＳＵＳ３０４、ＳＵＳ３０５、ＳＵＳ３２１等のオーステナイト系ステンレス鋼により得られる。前記筒体４の小径筒部４１の前端近傍内面には、内方への押圧変形により、複数（例えば、４個）の内方突出部４１ｂが周方向に等間隔に形成される。前記内方突出部４１ｂによりボール受け座が形成される。また、前記筒体４の前端には、周状に内方に押圧変形されることにより、内向きの前端縁部４１ａが形成される。前記内方突出部４１ｂ（ボール受け座）の前面と前記前端縁部４１ａの後面との間にはボール３が回転可能に抱持される。前記内方突出部４１ｂの相互間には、中心部から径方向外方に延び且つ軸方向に貫通するインキ流通間隙が形成される。即ち、前記ボール受け座には、前記インキ流通間隙が形成される。前記筒体４は、略均一肉厚を有する。また、前記テーパ筒部４２の内面には、後方に向かうに従い拡径するテーパ状内面からなる弁座４２ａが形成される。
【００１５】
・ホルダー
前記ホルダー７は合成樹脂（例えば、ポリプロピレン）の射出成形によって得られる筒状体である。前記ホルダー７は、ボールペンチップ２が取り付けられる先細状の前部と、インキ収容筒８の先端面に当接する鍔部と、インキ収容筒８の前端開口部に圧入される後部とからなる。
【００１６】
・インキ収容筒
前記インキ収容筒８は、合成樹脂（例えば、ポリプロピレン）の押出成形により得られる、両端が開口された円筒状部材である。前記インキ収容筒８の内部には、インキと、該インキの消費に伴って前進する高粘度流体からなる追従体が充填される。
【００１７】
・押圧部材
前記押圧部材５は、ボールペンチップ２内に配置され且つ筆記時のボール３の後面に前端部が当接される。前記押圧部材５の後端には前記弾発部材６の前端が当接され、前記押圧部材５が前方に付勢される。
【００１８】
前記押圧部材５は、前記内方突出部４１ｂの相互間のインキ流通間隙に挿通され且つ前記ボール３後面に当接される棒状（直円柱状）の小径部５１と、該小径部５１より後方に連設され且つ該小径部５１より大きい外径を有する大径部５２と、該大径部５２の前端に形成される弁部５３とを備える。前記大径部５２が前記大径筒部４３内を前後方向に移動可能に構成される。前記押圧部材５は合成樹脂または金属材料により、一体または複数の部材の組合せにより形成される。前記弁部５３は、後方に向かうに従い拡径する環状のテーパ面または環状の凸曲面からなる。
【００１９】
前記押圧部材５の大径部５２の外径は、前記筒体４の大径筒部４３の内径より小さく設定される。それにより、前記押圧部材５の大径部５２の外面と前記筒体４の大径筒部４３の内面との間でインキが流通可能となる。
【００２０】
前記筒体４の前端縁部４１ａと前記内方突出部４１ｂとの間で抱持されるボール３の前後方向の移動可能量が、前記ボール３の後方移動による前記押圧部材５の前後方向の移動可能量よりも大きく設定される。本実施の形態では、前記筒体４の前端縁部４１ａと前記内方突出部４１ｂとの間で抱持されるボール３の前後方向の移動可能量が４０μｍに設定され、前記弾発部材６で前方に付勢された状態の、前記ボール３の後方移動による前記押圧部材５の前後方向の移動可能量が３８μｍに設定される。また、ボール３は、直径０．５ｍｍのものが採用される。
【００２１】
非筆記状態において、前記テーパ筒部４２の弁座４２ａと前記押圧部材５の弁部５３とが環状に密接される。それにより、非筆記時のインキ漏出を確実に防止できるとともに、落下等の衝撃でボール３が外部に脱落することを回避できる。筆記状態において、前記ボール３の後方移動に伴い前記押圧部材５が後退され、前記テーパ筒部４２の弁座４２ａと前記押圧部材５の弁部５３との密接が解除され、弁座４２ａと弁部５３との間をインキが流通してボール３にインキが供給可能となる
【００２２】
・弾発部材
前記弾発部材６は、金属線材（例えば、ステンレス鋼製線材）を螺旋状（コイル状）に巻回された圧縮コイルスプリングよりなる。前記弾発部材６の前端が押圧部材５の後端（大径部５２の後端）に当接され、前記弾発部材６の前端がボールペンチップ２後端（大径筒部４３の後端）の係止壁部４３ａに当接され、それにより、前記押圧部材５が前方に付勢される。前記係止壁部４３ａは、これ以外にも、大径筒部４３の中間部内面またはホルダー７の内面に形成してもよい。
【００２３】
本実施の形態のボールペン１は、非筆記状態において、前記テーパ筒部４２の弁座４２ａと前記押圧部材５の弁部５３とが環状に密接され、筆記状態において、前記ボール３の後方移動に伴い前記押圧部材５が後退され、前記テーパ筒部４２の弁座４２ａと前記押圧部材５の弁部５３との密接が解除されることにより、非筆記時のインキ漏出を確実に防止できるとともに、落下等の衝撃でボール３が外部に脱落することを回避できる。
【００２４】
本実施の形態のボールペン１は、前記筒体４の前端縁部４１ａと前記内方突出部４１ｂとの間で抱持されるボール３の前後方向の移動可能量が、前記ボール３の後方移動による前記押圧部材５の前後方向の移動可能量よりも大きく設定されることにより、前記テーパ筒部４２の弁座４２ａと前記押圧部材５の弁部５３とが環状に密接された状態において、前記前端縁部４１ａと前記内方突出部４１ｂとの間で、ボール３が前後方向にあそびを有する状態で収容される。それにより、筆記時、弁部５３と弁座４２ａとの密接が解除され、ボール３へのインキ供給が可能となるとともに、ボール３と前端縁部４１ａ内面とが非圧接状態となり、落下等の衝撃でボール３が外部に脱落することを一層に回避できる。
【符号の説明】
【００２５】
１  ボールペン
２  ボールペンチップ
３  ボール
４  筒体
４１  小径筒部
４１ａ  前端縁部
４１ｂ  内方突出部
４２  テーパ筒部
４２ａ  弁座
４３  大径筒部
４３ａ  係止壁部
５  押圧部材
５１  小径部
５２  大径部
５３  弁部
６  弾発部材
７  ホルダー
８  インキ収容筒
【図１】
2017114089.tif 000003
【図２】
2017114089.tif 000004
【図３】
2017114089.tif 000005
【図４】
2017114089.tif 000006
【図５】
2017114089.tif 000007